(57)【要約】【課題】  運搬、設置、撤去、収納が簡単で、マルチング効果をアップさせた、マルチング材充填容器を提供することを目的とする。【解決手段】  板状の素材を切り欠き、折り曲げるだけで成形でき、さらに折畳むことができるマルチング材充填容器１であって、ずれや抜けを防止する一体型のストッパーを備え、多角形の外周の縁でマルチング材を安定させることを特徴とするマルチング材充填容器１。【選択図】図１
2007143540.tif 000002
【特許請求の範囲】
【請求項１】
ダンボール、紙、樹脂、ゴム、金属、プラスチック、木等の板、シート及びフィルム、化学繊維、やし繊維等の帆布のいずれか一つ以上の材料で形成される、マルチング材充填容器。
【請求項２】
マルチング材充填容器の形状が縁は多角形で形成され、底はストッパー付きの解放された形状である請求項１に記載のマルチング材充填容器。
【請求項３】
コンパクトに折畳むことができ、また、容易に広げ組み立てができる請求項１に記載のマルチング材充填容器。
【請求項４】
請求項１に記載のマルチング材充填容器の製造方法。
【発明の詳細な説明】
【技術分野】  明細書【０００１】  本発明は、植樹および植栽、又は植物栽培あるいは無草地面の確保における、雑草防止に施されるマルチング材を充填するための容器に関する。
【背景技術】
【０００２】  従来、植樹及び植栽又は植物栽培あるいは無草地面の確保において雑草の発生を防止するため、シートやフィルム、石、コンクリート片、木質やゴム質チップ、貝殻片等のマルチング材の敷設が行われている。【０００３】  マルチングとして、石やコンクリート片、木質又はゴム質チップあるいは貝殻片を敷設する場合、数ｃｍ〜数十ｃｍの厚さで目的物にあった広さに敷設し、雑草の発生を抑制するのが効果的であるが、敷設する範囲に枠や囲いが無い場合、マルチング材が周囲に拡散し、一定の厚さ、一定の範囲をマルチングされなくなることで雑草発生防止効果が低下する。【０００４】  雑草発生防止効果を維持するための従来の解決手法としては、石や木材で囲いを設置しているが、この方法では、囲い材として使用する石や木材の運搬や設置、あるいは撤去が大がかりになること、収納面においては、解体しない場合大きなスペースが必要となること、また、解体した場合には解体に手間がかかること、解体することによって収納、運搬する部材が多くなること等の問題があった。
【発明の開示】
【発明が解決しようとする課題】
【０００５】  本発明は、マルチング材充填容器を使用することにより、マルチング材の拡散を防ぎ、一定の厚さ、一定の範囲を確実にマルチングすることで雑草の発生防止効果をアップさせること、さらに運搬、設置、あるいは撤去や収納が容易なマルチング材充填容器を提供することを目的とする。
【課題を解決するための手段】
【０００６】  本発明は上記課題を解決するためになされたものである。すなわち、本発明は、マルチング材充填容器であって、ダンボール、紙、樹脂、ゴム、金属、プラスチック、木等の板、シート及びフィルム、化学繊維、やし繊維等の帆布のいずれか一つ以上の材料で形成してなる。【０００７】  マルチング材充填容器は、縁の形状は多角形であって、底はストッパー付きで開放されていることが好ましい。ストッパーとは容器がずれたり抜けたりしないように底面に折り込んだ容器の一部である。以下この部分をストッパーと称する。【０００８】  マルチング材充填容器のストッパーを縁の面につくように折り込み、それぞれの縁の面と一緒に互い違いに折ることで小さくまとめられる。また、コンパクトに折られたマルチング材充填容器は、折り癖がついているので、広げて組み立てることがさらに容易となる。【０００９】  本発明は、また別の態様によれば、マルチング材充填容器の製造方法であって、ダンボール、紙、樹脂、ゴム、金属、プラスチック、木等の板、シート及びフィルム、化学繊維、やし繊維等の帆布のいずれか一つ以上の材料でできた板および帆布を、切り欠きする工程と、折り曲げして成形する工程とを含んでなる。
【発明の効果】
【００１０】  本発明のマルチング材充填容器は、平板を切り欠き、折ることで容易に成形される。さらに折畳むことで運搬、撤去、収納においても非常に優れている。また、マルチング材充填容器にマルチング材を充填することにより、一定の量、一定の厚さ、一定の範囲でマルチング材を敷設できることから、マルチング効果を最大限引き出せる。
【発明を実施するための最良の形態】
【００１１】  以下に、本発明を、図面を用いて外周が正六角形の形状の場合を例にあげ、詳細に説明する。図１は、マルチング材充填容器を成形したときの平面図であり、図２は図１のＡ−Ａの断面図である。マルチング材充填容器１は、マルチング材を充填した際にマルチング材が周囲に拡散しないための容器の縁２と、縁の間に差し込んだジョイント３、底面のストッパー４〜９からなる。ジョイントとは、六角形の閉じた形状にするため、つなぐ役目を果たすマルチング材充填容器の一部分をいう。以下ジョイントと称す。外周が正六角の場合、縁の長さは六辺とも同一の長さであり、ストッパー４〜９の両端の切り込み角度は６０°である。また、縁とストッパーの角度は９０°が好ましい。ストッパー４〜９同士が接するかどは１２０°であり、正六角形の縁２をもった容器となる。また、ジョイント３は、二重に折った縁２の隙間に差し込み接続する。ストッパー４〜９は、正六角形の縁２を正確に形成する機能と、形が変形しないようにする安定板としての機能、マルチング材の重量がストッパー４〜９にかかることで、容器のずれや抜けを防ぐ機能等を持たせている。また、底面を適度に開放することで雨水の浸透を容易にしている。【００１２】  マルチング材充填容器１の大きさについては、縁２の辺の長さや幅を変えることで目的にあったマルチング面積、マルチング厚さを設定できる。【００１３】  図示するマルチング材充填容器１は、ダンボール、紙、樹脂、ゴム、金属、プラスチック、木等の板、シート及びフィルム、化学繊維、やし繊維等の帆布等の材質の平板を切り欠き、折り曲げて形成されたものである。【００１４】  次に、マルチング材充填容器１の折畳み方法について説明する。
折畳む場合は図１の状態からジョイント３を隙間からはずし、縁２の面に付くように折る。次に、ストッパー４〜９の面を縁２の面に付くまで折る。六つの面からなる縁２を互違いの方向に折りそれぞれの面と面を合わせ折畳む。折畳んだ場合、容積が約１／８となり運搬、撤去、収納に非常に優れる。また、折畳んだマルチング材充填容器１は、折り癖が付いているので広げやすく、容易に容器を形成できる。図３は折畳んだ状態を示す平面図であり、図４はその正面図である。【００１５】  次に、マルチング材充填容器１の製造方法について説明する。マルチング材充填容器１の材質は、ダンボール、紙、樹脂、ゴム、金属、プラスチック、木等の板、シート及びフィルム、化学繊維、やし繊維等の帆布等でありこれら板状の板を切り欠き、折り曲げする工程とを含む。【００１６】  外周が正六角形の形状の場合を例にあげ、詳細に説明する。図５は平板を切り欠きし、谷折り箇所を点線、山折り箇所を二点鎖線で示したマルチング材充填容器１の展開図であり、縁２、ジョイント３、ストッパー４〜９からなる。図６は図５に示したＢ−Ｂの位置の断面図である。正六角の形状の場合、縁２を形成する面の一辺の長さはそれぞれ同じで、ストッパー４〜９の切欠き角度はそれぞれ６０°、両端は突合せとなるので３０°となる。両端をつなぐためのジョイント３を片方に設ける。Ｌ１〜Ｌ６、ｔ１の各寸法は、マルチング対象物や目的の大きさによって自由に設定できる。但し、Ｌ３≦Ｌ４とし、Ｌ２はＬ１／６より、Ｌ６はＬ４よりやや小さく、Ｌ５は容器の平行に向き合う縁と縁の長さの１／３程度とするのが好ましい。【００１７】  縁２は耐久性を持たせるため二重構造とし、図５の二点鎖線の位置で１８０°山折りする。ストッパー４〜９の折る角度は、縁２の面に対し９０°が好ましく、ストッパー４〜９を隣同士つき合わせ縁２を内角１２０°になるように谷折りし、二重に折った縁２の間にジョイント３を差し込み、付き合わせ接続して製造完了となる。【００１８】  さらに、本発明のマルチング材充填容器１素材に、防水加工、めっき加工、防腐加工、塗料塗布加工、不燃加工等を施した場合耐久性が上がりさらに好ましい。
【実施例１】
【００１９】  本発明の実施例１を以下に説明する。以下の実施例は、本発明を例示するものであって本発明のマルチング材充填容器は、特定の大きさ、形状に限定されるものではない。【００２０】  本実施形態の製造方法に従ってマルチング材充填容器を製造した。形状は正六角の縁からなり深さ５ｃｍ、縁が平行に向き合う面の長さ３０ｃｍ、材質は株式会社東ワラ製の厚さ２．５ｍｍ、縦１５ｃｍ、横１２０ｃｍの長方形のダンボール板を、縁の部分は二重とするので１０ｃｍ、ストッパーの部分は５ｃｍとし、切り欠きを６０°、両端は突合せとなるので３０°とした。またジョイントは縁の長さ、幅よりもやや小さくし接続しやすくした。【００２１】  カッターナイフで切り欠いたダンボールの板を縁になる部分を半分に折り、反対方向に六枚のストッパーを縁に対して直角に折り、ストッパー同士が接するように縁を同じ方向に１２０°の角度で谷折りした。ジョイントは二重になっている縁の間に差し込み付き合わせ接続した。【００２２】  得られたマルチング材充填容器を、苗木高さ約６０ｃｍの白樺が容器の中心になるように設置し、約３ｃｍ×２ｃｍの木質チップを深さ５ｃｍの容器の高さまで充填した。木質チップが詰まっていること、ストッパーに木質チップの重量がかかっていることからずれや抜けはなく十分な耐久性を持つものであった。また、底面を開放していることから滞水はなく苗木にとって良い環境を提供している。さらに、木質チップが周辺に散らばることはなく、一定の木質チップの量を、一定の範囲で、一定の厚さでマルチングが行われた。【００２３】  次に本発明のマルチング材充填容器の折畳みを折畳み方法に従って行った。まず、ジョイントを縁に付くように折り、次にストッパーを同じく縁に付くように折り最後に縁の面を互い違いの方向に折畳んだ。折り畳んだ大きさは縦５ｃｍ、幅１７ｃｍ、奥行き５．５ｃｍであった。この容積は、折畳む前の約１／８の容積であり運搬、収納に優れていた。なお、マルチング材充填容器の形状、大きさは、製造実施したものと同じものを使用した。【００２４】  次に、本発明に係るマルチング材充填容器１の使用方法について説明する。マルチング材充填容器１は、容器にマルチング材を充填し使用するものである。植樹及び植栽又は植物栽培等で、保護する植物が中心になるようにマルチング材充填容器１を設置し、次にマルチング材をマルチング材充填容器１に充填する。マルチング材を、マルチング材充填容器の縁２の高さ内で適量充填することにより、有効にマルチングが行われる。また特に、斜面において設置する場合は、マルチング材充填容器を目串、ピン、釘、杭等で数箇所固定するとさらに安定するので好ましい。【００２５】  図７は、本発明の実施形態によるマルチング材充填容器１を使用し、苗木を雑草から守るためにマルチングを行った態様を示す概念図である。苗木１１は、マルチング材１０により保護される。
【図面の簡単な説明】
【００２６】
【図１】本発明によるマルチング材充填容器の平面図である。
【図２】本発明によるマルチング材充填容器の断面図である。
【図３】本発明によるマルチング材充填容器を折畳んだ平面図である。
【図４】本発明によるマルチング材充填容器を折畳んだ正面図である。
【図５】本発明によるマルチング材充填容器の展開図である。
【図６】本発明によるマルチング材充填容器の展開図の断面図である。
【図７】本発明によるマルチング材充填容器の一使用例の概念図である。
【符号の説明】
【００２７】  １  マルチング材充填容器
２  縁
３  ジョイント
４  ストッパー
５  ストッパー
６  ストッパー
７  ストッパー
８  ストッパー
９  ストッパー
１０  マルチング材
１１  樹木
【図１】
2007143540.tif 000003
【図２】
2007143540.tif 000004
【図３】
2007143540.tif 000005
【図４】
2007143540.tif 000006
【図５】
2007143540.tif 000007
【図６】
2007143540.tif 000008
【図７】
2007143540.tif 000009